(57)【要約】【課題】本発明は、既存のユニットバスの長年の使用による老朽化を綺麗にし、それに合わせドア入り口の段差を低くし、更に、ドアを載せるドア枠の高さも低くすると共にドア部分を交換して身障者や高齢者が利用し易いユニットバスを提供するものである。【解決手段】上記課題を解決するため、既存するユニットバスを構成する防水パンの出入口箇所となるドア載置面、及び立上がり部を切除し、該切除された箇所の側面に沿ってドア枠支持装置をセットし、該ドア枠支持装置にドアを設置するユニットバスのドア入り口段差軽減工法を特徴とする。【選択図】図１
2006342607.tif 000002
【特許請求の範囲】
【請求項１】
既存するユニットバスを構成する防水パンの出入口箇所となるドア載置面、及び立上がり部を切除し、該切除された箇所の側面に沿ってドア枠支持装置をセットし、該ドア枠支持装置にドアを設置したことを特徴とする、ユニットバスのドア入り口段差軽減工法。
【請求項２】
既存するユニットバスを構成する防水パンの出入口箇所となるドア載置面、及び立上がり部を切除し、該切除された箇所の側面に沿って、予めドアが設置されたドア枠支持装置をセットしたことを特徴とする、ユニットバスのドア入り口段差軽減工法。
【請求項３】
上記切除された箇所の防水パンの裏側に、防水パン支持装置をセットしたことを特徴とする請求項１又は請求項２記載のユニットバスのドア入り口段差軽減工法。
【請求項４】
上記支持装置は、アジャスターにより支持されていることを特徴とする請求項１〜請求項３の何れか１記載のユニットバスのドア入り口段差軽減工法。
【発明の詳細な説明】
【技術分野】
【０００１】
本発明は、既存の建物のリフォームを対象とするもので、ユニットバス、特にバスルームの洗い場床面と、隣接する脱衣スペースの床面との間の踏み込み段差を殆ど設けないように構成し、併せて入口のドアを綺麗にしたいという要望を取り入れた、所謂バリアフリー型のユニットバスにリフォームする、ユニットバスのドア入り口段差軽減工法に関するものである。
【背景技術】
【０００２】
従来のユニットバスは、浴槽から溢れた水や、洗い場で使用した水が、隣接する脱衣スペース側へ流出することがないように、脱衣スペース側の床面と洗い場の床面との段差を大きくしているため、幼児や高齢者、或いは身体障害者が入浴する際出入りがしにくく、また危険が伴っていた。
その後バスルームの洗い場に大きな排水ピットを設けることにより、浴槽から溢れた湯水や、洗い場で使用した湯水を速やかに排水溝で処理することができるようになってきている。
【０００３】
図７は、既存の浴室の洗い場床面ａと隣接する脱衣スペースの床面ｂとをバリアフリーにする工法に係るもので、既存の浴室の洗い場床に合わせて調整した根太ｃを金物（図示せず）に木捻子にて固定し、金物に設けたボルトで根太ｃの高低を調節、金物に設けたボルトで壁面に６ヶ所を支持固定、巾、長さを調整した床パネルｄを根太ｃに取り付け、浴室入口面の床にグレーチングｅ及び排水溝ｆを取り付けた、浴室洗場床のバリアフリーにともなう床あげ工法が示されている「特許文献１」。
【０００４】
図８は、建物の床からユニットバス内に出入りする入口段差を低く抑える取付部構造に係るもので、工場において予め、ドア枠設置部ｇにおける床パンｈの周縁の立上がり部（第一立上り部ｉ及び防水立上り部ｊ）が切欠かれ、ドア枠設置部ｇの側方の立上がり部の側面が立上がり部切欠き面（垂直面）ｋであり、ドア枠設置部ｇの下方の立上がり部の上面が立上がり部切欠き面（水平面）ｌで、該立上がり部切欠き面ｌは、すのこ載置面ｍと壁パネル載置面ｎとの間の第一立上がり部ｐのほぼ中間に位置し、すのこ載置面ｍにはすのこｑが、又壁パネル載置面ｎには側壁パネルｒが載置され、上記立上り切欠部下部に防水ピースｓが、防水ピース取付リブ及び防水ピース支持リブｔにより支持されて取り付けられている「特許文献２」。
【０００５】
しかし、バリアフリーを目的とした「床あげ工法」は、ユニットバス内の床全面を改修する大工事となり、また、「入口段差を低く抑える取付部構造」は、防止ピースを支持する防水ピース取付リブ及び防水ピース支持リブを床パンの側壁面に取り付けており、支持強度において若干問題があった。
【特許文献１】特開２００３−１２９６４３号公報
【特許文献２】特開平８−１７７２５１号公報
【発明の開示】
【発明が解決しようとする課題】
【０００６】
本発明は、既存のユニットバスの長年の使用による老朽化を綺麗にし、それに合わせドア入り口の段差を低くし、更に、ドアを載せるドア枠の高さも低くすると共にドア部分を交換して身障者や高齢者が利用し易いユニットバスを提供するものである。
【課題を解決するための手段】
【０００７】
本発明は、上記課題を解決するための具体的手段として、既存するユニットバスを構成する防水パンの出入口箇所となるドア載置面、及び立上がり部を切除し、該切除された箇所の側面に沿ってドア枠支持装置をセットし、該ドア枠支持装置にドアを設置する、ユニットバスのドア入り口段差軽減工法を特徴とする。
【０００８】
また、既存するユニットバスを構成する防水パンの出入口箇所となるドア載置面、及び立上がり部を切除し、該切除された箇所の側面に沿って、予めドアが設置されたドア枠支持装置をセットする、ユニットバスのドア入り口段差軽減工法を特徴とする。
【０００９】
更に、上記切除された箇所の防水パン裏側に、防水パン支持装置をセットする、ユニットバスのドア入り口段差軽減工法を特徴とする。
【００１０】
また、上記支持装置は、アジャスターにより支持されているユニットバスのドア入り口段差軽減工法を特徴とする。
【発明の効果】
【００１１】
本発明は、既存ユニットバスにおける防水パンの出入口箇所だけを切除するだけで出入口の段差を低くすることができ、身体障害者や高齢者を配慮したバリアフリーの改修工事を短期間で行うことができるものである。
【００１２】
また、既存ユニットバスの防水パンの出入口箇所の一部が切除されるが、切除された箇所には、ドア枠支持装置及び防水パン支持装置が設けられるので、ドアを取り付けても防水パンの強度に影響を及ぼすことなく設置することができる。
【発明を実施するための最良の形態】
【００１３】
本発明を実施例に沿って詳細に説明する。
【実施例】
【００１４】
図１は、既存ユニットバスの脱衣スペース側と洗い場側とを結ぶ出入口箇所を垂直に切断したリニューアル前とリニューアル後の垂直断面図、及び、リニューアルのときに使用されるドア枠及び防水パンの支持部材が示されている。
図２は、出入口箇所における防水パンの一部をカットした後該防水パンに沿ってセットされる、ドアを予め取り付けたドア枠支持装置の正面図が示されている。
図３は、既存ユニットバスの脱衣スペース側と洗い場側とを結ぶ出入口箇所を垂直に切断したリニューアル後の垂直断面図で、出入口箇所における防水パンの一部がカットされた防水パンに沿ってドア枠支持装置がセットされ、該ドア枠支持装置にドアを取り付けた垂直断面図が示されている。
【００１５】
図４は、既存ユニットバスの脱衣スペース側と洗い場側とを結ぶ出入口箇所を水平に切断した、リニューアル前とリニューアル後の水平断面図を示すものである。
図５は、既存ユニットバスに使用されている防水パンのニリューアル前とリニューアル後の概略斜視図を示すものである。
図６は、防水パン上にバスタブを設置し、該バスタブに隣接して洗い場を設けた既存ユニットバスの平面図を示すものである。
【００１６】
既存するユニットバスのバリアフリー工法である本発明の「ユニットバスのドア入り口段差軽減工法」について、図１〜６に基づいて以下説明する。
既存するユニットバスＵは、防水パン１の一方にバスタブを設置し、他方に洗い場２を設け、脱衣スペース３と洗い場２との間に出入口４が設けられている。  
【００１７】
図１は出入口箇所における断面図であるが、図面に示すように、リニューアル前の既設のユニットバスは、脱衣スペースから浴室へ入る出入口のドア枠５と、洗い場２との段差が大きいため（８０〜９５ｍｍ）、幼児や高齢者、或いは身体障害者が入浴するとき危険性が伴っていた。
【００１８】
本発明は、リニューアル後の図面に示されるように、既存の防水パンの防水立上がり部６、壁パネル等の載置部７、及び立上がり部８の一部を切除するものである。
このように一部を切除することにより、脱衣スペースから浴室へ入る出入口のドア枠と、洗い場２との段差が少なく（５０ｍｍ）なり、幼児、高齢者、身障者の入浴における危険性をなくすことができた。
【００１９】
上記したように、既設ユニットバスを構成する防止パン１の一部を切除したことにより出入口箇所のドア枠の取り付けができないので、該切除された箇所１１の防水パン１の側面に沿ってドア枠支持装置９、更に、該切除された箇所１１の防水パン１の裏側には防水パン支持装置１０が取り付けられる。
【００２０】
ドア枠支持装置９について説明すると、所定の位置にナット９１を埋設した角形鋼管９２と、該角形鋼管９２に設けたナット９１に螺入される長ボルト９３、更に、角形鋼管９２の上面に固定されるドア枠（沓摺枠）９４からなり、ナット９１と長ボルト９３によるアジャスターで支持された角形鋼管９２の上面にドア枠（沓摺枠）９４が取り付けられる。
該ドア枠（沓摺枠）９４の取付位置を防水パン１の立上がり部８の上端面に合わせ、ドア枠（沓摺枠）９４等の荷重が防水パン１にかからない高さとする。  
【００２１】
次に防水パン支持装置１０について説明すると、一方のフランジ１０１にナット１０２を溶接し、他方のフランジ１０３に長孔１０４を設けた短尺溝形鋼１０５と、該短尺溝形鋼１０５のナット１０２に螺入される長ボルト１０６からなり、長ボルト１０６を取り付けた短尺溝形鋼１０５を切除された箇所１１の防水パン１の裏側にセットし、フランジ１０３に設けた長孔１０４からビスを通し防水パン１に固定する。
防水パン１の所定の位置にドア枠支持装置９及び防水パン支持装置１０のセットを完了した後、長ボルトの下端部がモルタル１２等で固定される。
【００２２】
切除された箇所１１の防水パン１に上記したドア枠支持装置９をセットした後ドアが取り付けられるが、図２に示すように、ドア枠支持装置９に予めドア１３を設置し、この状態で、切除された箇所１１の防水パン１の側面にセットしてもよい。    
【００２３】
図４は、脱衣スペース側より浴室側へ入る防水パン上に設けられた出入口箇所の水平断面図であるが、上記したように出入口における段差を少なくする工事と共に、浴室側から目に付く出入口に設けたドアの取り替え工事について示すものである。
【００２４】
リニューアル前の出入口は、柱等の構造材１４に開口枠１５、及び浴室側に壁パネル１６を取り付け、該開口枠１５の脱衣スペース側に額縁１７、更に下地材１８，２０を取り付け、該下地材１８、２０を介して内装材、内装材間の隙間をシール材１９で埋めている。
【００２５】
既設ユニットバスの出入口に設けたドアの交換は、リニューアル後の図面に示すように、下地材と内装材との間に隙間が生じることもあるが、このようなときには、該内装材と下地材１７、１８との隙間を埋める部材２１、２１’が使用される。
【図面の簡単な説明】
【００２６】
【図１】出入口箇所を垂直に切断した垂直断面図と支持部材を示すものである。
【図２】ドア枠支持装置にドアが設置された正面図を示すものである。
【図３】出入口箇所で切断した防水パン、ドア枠支持装置及びドアの断面図を示すも          のである。
【図４】出入口箇所を水平に切断した水平断面図を示すものである。
【図５】防止パンの斜視図を示すものである。
【図６】ユニットバスの平面図を示すものである。
【図７】従来のバリアフリー工法である床あげ工法の斜視図を示すものである。
【図８】従来のバリアフリー工法である出入口段差を低く抑えた出入口箇所の垂直断          面図を示すものである。
【符号の説明】
【００２７】
１    防水パン
２    洗い場２
３    脱衣スペース
４    出入口
５    ドア枠
６    防水立上がり部
７    壁パネル等の載置部
８    立上がり部
９    ドア枠支持装置
１０    防水パン支持装置
１１    切除された箇所
１２    モルタル
１３    ドア
１４    開口枠
１５    構造材
１６    壁パネル
１７    額縁
１８    下地材
１９    シール材
２０    下地材
２１    隙間を埋める部材
Ｕ     ユニットバス
ａ     洗い場床面
ｂ     脱衣スペースの床面
ｃ     根太
ｄ     床パネル
ｅ     グレーチング
ｆ     排水溝
ｇ     ドア枠設置部
ｈ     床パン
ｉ     第一立上り部
ｊ     防水立上り部
ｋ     立上がり部切欠き面（垂直面）
ｌ     立上がり部切欠き面（水平面）
ｍ     すのこ載置面
ｎ     壁パネル載置面
ｐ     第一立上がり部
ｑ     すのこ
ｒ     側壁パネル
ｓ     防水ピース
ｔ     防水ピース支持リブ
【図１】
2006342607.tif 000003
【図２】
2006342607.tif 000004
【図３】
2006342607.tif 000005
【図４】
2006342607.tif 000006
【図５】
2006342607.tif 000007
【図６】
2006342607.tif 000008
【図７】
2006342607.tif 000009
【図８】
2006342607.tif 000010